(57)【要約】【課題】斬新な見栄えの建築物により利用者を楽しませることができるとともに、建築物の敷地面積を大きくすることなく浴場利用者の頭上空間を大きくして開放感を与えることができる温浴施設を提供する。【解決手段】浴場１ｃが設けられた第１建築物を、上方から見て八角形となるように形成し、第１建築物のうち八角形の各辺に設けられた壁体３８を、浴場１ｃの床面から天井に向かうにつれて浴場１ｃの空間が拡大するように傾斜させる。これによれば、第１建築物を八角形に形成しているので、第１建築物の見栄えを斬新なものにでき、利用者を楽しませることができる。さらに、第１建築物の壁体３８が、浴場の床面から天井に向かうにつれて浴場の空間が拡大するように傾斜しているので、第１建築物の敷地面積を大きくすることなく浴場利用者の頭上空間を大きくして、開放感を与えることができる。【選択図】        図３
2005240542.tif 000002
【特許請求の範囲】
【請求項１】
浴場が設けられた第１建築物を備える温浴施設であって、
前記第１建築物を、上方から見て八角形となるように形成し、
前記第１建築物のうち八角形の各辺に設けられた壁体が、前記浴場の床面から天井に向かうにつれて前記浴場の空間が拡大するように傾斜していることを特徴とする温浴施設。
【請求項２】
玄関を備える下足場が設けられ、上方から見て八角形となるように形成された第２建築物を備え
前記第１建築物の八角形の一辺部分と第２建築物の八角形の一辺部分とが、各々往来可能となるように接続されていることを特徴とする請求項１に記載の温浴施設。
【請求項３】
前記浴場に備えられた浴槽内には、人工温泉装置が配置されており、
前記人工温泉装置は、
前記浴槽内に浸漬するように配置され、金網で形成された籠部材と、
前記籠部材内に配置され、遠赤外線を放射する機能を有した鉱石と、
前記浴槽内からお湯を噴出させる噴出手段と、
から構成されていることを特徴とする請求項１又は２に記載の温浴施設。
【請求項４】
前記人工温泉装置には、前記噴出手段の噴出口に対向して配置され、前記噴出口から噴出したお湯が衝突する衝突部材が備えられており、
前記籠部材、前記噴出手段及び前記衝突部材は、前記衝突部材に衝突したお湯が前記鉱石に向けて落下するように配置されていることを特徴とする請求項３に記載の温浴施設。
【発明の詳細な説明】
【技術分野】
【０００１】
本発明は、浴場が設けられた建築物を備える温浴施設(いわゆる銭湯)に関するものである。
【背景技術】
【０００２】
従来、特許文献１等に記載の如く、浴場が設けられた建築物を備える温浴施設が知られており、この建築物は、上方から見て四角形となるように形成されている。また、特許文献１には特に記載されていないが、従来の一般的な温浴施設の建築物においては、建築物のうち四角形の各辺に設けられた壁体は、鉛直方向に真っ直ぐに延びるように形成されている。
【０００３】
【特許文献１】特開２００１−１８２３４７号公報
【発明の開示】
【発明が解決しようとする課題】
【０００４】
しかしながら、特許文献１に記載の如く建築物を単純に四角形に形成しただけでは、建築物の外観において斬新さに欠け、浴場にいる利用者から見ても斬新さに欠けるものであった。また、この種の温浴施設では、建築物内の空間のうち浴場利用者の頭上を占める空間をできるだけ大きくして、浴場利用者に開放感を与えることが重要となるが、上述の如く、壁体が単純に鉛直方向に真っ直ぐに延びる形状では、建築物の敷地面積を大きくしない限りは浴場利用者の頭上空間を大きくするのに限界がある。
【０００５】
本発明は、上記点に鑑み、斬新な見栄えの建築物により利用者を楽しませることができるとともに、建築物の敷地面積を大きくすることなく浴場利用者の頭上空間を大きくして開放感を与えることができる温浴施設を提供することを目的とする。
【課題を解決するための手段】
【０００６】
上記目的を達成するため、請求項１に記載の発明では、
浴場が設けられた第１建築物を備える温浴施設であって、
前記第１建築物を、上方から見て八角形となるように形成し、
前記第１建築物のうち八角形の各辺に設けられた壁体が、前記浴場の床面から天井に向かうにつれて前記浴場の空間が拡大するように傾斜していることを特徴とする。
【０００７】
請求項２に記載の発明では、
玄関を備える下足場が設けられ、上方から見て八角形となるように形成された第２建築物を備え、
前記第１建築物の八角形の一辺部分と第２建築物の八角形の一辺部分とが、各々往来可能となるように接続されていることを特徴とする。
なお、「第１建築物の八角形の一辺部分と第２建築物の八角形の一辺部分とが、各々往来可能となるように接続」とは、第１建築物の一辺部分と第２建築物の一辺部分とが隣接して接続される場合に限られるものではなく、例えば、第１建築物の一辺部分と第２建築物の一辺部分とが、連絡通路を介して接続される場合をも含む意味である。
【０００８】
請求項３に記載の発明では、前記浴場に備えられた浴槽内には、人工温泉装置が配置されており、
前記人工温泉装置は、
前記浴槽内に浸漬するように配置され、金網で形成された籠部材と、
前記籠部材内に配置され、遠赤外線を放射する機能を有した鉱石と、
前記浴槽内からお湯を噴出させる噴出手段と、
から構成されていることを特徴とする。
なお、上記「鉱石」には麦飯石を採用して好適である。
また、請求項４に記載の発明では、前記人工温泉装置には、前記噴出手段の噴出口に対向して配置され、前記噴出口から噴出したお湯が衝突する衝突部材が備えられており、前記籠部材、前記噴出手段及び前記衝突部材は、前記衝突部材に衝突したお湯が前記鉱石に向けて落下するように配置されていることを特徴とする。
【発明の効果】
【０００９】
請求項１に記載の発明によれば、第１建築物を、上方から見て八角形となるように形成しているので、第１建築物の見栄えを斬新なものにでき、利用者を楽しませることができる。さらに、第１建築物の壁体が、浴場の床面から天井に向かうにつれて浴場の空間が拡大するように傾斜しているので、第１建築物の敷地面積を大きくすることなく浴場利用者の頭上空間を大きくして、該利用者に開放感を与えることができる。
また、請求項２に記載の発明によれば、温浴施設の見栄えをより一層斬新なものにできる。
請求項３に記載の発明によれば、鉱石から放射される遠赤外線により、浴槽内のお湯の保温効果を向上させることができる。しかも、その鉱石は浴槽内に浸漬しているので、鉱石の成分が浴槽内に十分に抽出されることとなり、該成分による様々な効能が十分に発揮される。効能の一例として、疲労回復、しもやけ、ひび、あせも、冷房病、神経痛等が挙げられる。
また、請求項４に記載の発明によれば、噴出手段から噴出されるお湯が鉱石に向けて落下するので、鉱石周囲のお湯を攪拌させる作用が奏され、鉱石の成分が浴槽内に抽出されることをより一層促進できる。
【発明を実施するための最良の形態】
【００１０】
（第１実施形態）  
以下、図１〜図５を参照して、本発明の好適な第１実施形態について説明する。
【００１１】
図１に示すように温浴施設１は、夫々１５０坪の広さを有する八角形の建築物２棟の、一辺を接合した３００坪からなる建築物で、まず玄関１０から入場することができ、入浴するための券を購入する券売機等が配置された多目的スペース１ａと、多目的スペース１ａの男性用脱衣場入り口２２、女性用脱衣場入り口２２’（以下女性用の設備は、男性用の設備の図面番号に’を付加して表記する。）夫々から入ることができる脱衣場１ｂと、脱衣場１ｂの男湯入り口２５、女湯入り口２５’夫々から入ることができる浴場１ｃから構成され、温浴施設１の周囲、特に浴場１ｃの周囲には庭園１ｄが設けられ、入浴しながらにして日本庭園の景色を楽しむことができる。
【００１２】
なお、２棟の建築物のうち、浴場１ｃおよび脱衣場１ｂが設けられた側の建築物は、特許請求の範囲に記載の第１建築物に相当し、多目的スペース１ａが設けられた側の建築物は、特許請求の範囲に記載の第２建築物に相当する。
【００１３】
多目的スペース１ａは１５０坪の広さを有し、玄関１０、下足場１２、カウンター１３、自動券売機１４、図中の一点鎖線に示すレストラン１５、調理場１６、図中の一点鎖線に示すゲームセンター１７、図中の一点鎖線に示す物品販売所１８、図中の一点鎖線に示す休憩所１９、マッサージルーム２０等を備えており、入浴するための入浴券を購入することができる。又、食事をはじめとする入浴前／入浴後の利用者がくつろぐことのできるサービスを提供可能な施設となっている。
【００１４】
多目的スペース１ａから入ることのできる脱衣所１ｂは５０坪の広さを有し、男性用脱衣所入り口２２と通じる２５坪の広さからなる男性用脱衣所と、女性用脱衣所入り口２２’と通じる２５坪の広さからなる女性用脱衣所とに分かれ、夫々壁によって仕切られている。脱衣所１ｂには複数の脱衣箱２３，２３’、休憩用のテーブル２４，２４’等が設けられている。
【００１５】
脱衣場１ｂから入ることのできる浴場１ｃは、男湯入り口２５から通じる男湯と、女湯入り口２５’から通じる女湯とに分かれ、浴場１ｃ内は壁２５ａによって男湯と女湯に仕切られている。壁２５ａはアクリル板で形成されているため、コンクリート製の壁を採用した場合に比べて、壁２５ａの厚みを小さくすることができる。これにより、浴場内１ｃの限られたスペースを有効に利用できる。
浴場１ｃには流し場２６，２６’、冷水２７，２７’、低温サウナ２９，２９’、高温サウナ３０，３０’、中浴槽３１，３１’、冷浴槽３２，３２’、大浴槽３３，３３’が設けられている。浴場１ｃの外側の壁沿いには夫々洗い場３４，３４’が複数個設けられている。ここで、男湯の大浴槽３３と女湯の大浴槽３３’とは隣接して配置されているので、各大浴槽３３，３３’内のお湯の保温効果を高めることができ、エネルギー効率を向上できる。
また、浴場１ｃの出入口３５，３５’を通じて、浴場１ｃの外に設けられた露天風呂３６，３６’に行くことができる。このとき図２に示すように、流し場２６，２６’、冷水２７，２７’、中浴槽３１，３１’、冷浴槽３２，３２’、大浴槽３３，３３’の浴槽の縁２６ａ，２６ａ’，２７ａ，２７ａ’，３１ａ，３１ａ’，３２ａ，３２ａ’，３３ａ，３３ａ’は角を取り除いた丸型に成形してあり、万一利用者が転倒することなどによって、浴槽の縁２６ａ，２６ａ’，２７ａ，２７ａ’，３１ａ，３１ａ’，３２ａ，３２ａ’，３３ａ，３３ａ’に衝突した場合等であっても利用者の負傷を防ぎ、浴場１ｃ内の安全性を高めている。浴場１ｃに供給される温水は、ミネラル成分を有する温泉であり、温浴施設１内に図示しないミネラル温泉水の製造機を設けている。また、温浴施設１は図示しないボイラー施設を備えており、浴場１ｃに供給する温水の加熱、保温を行っている。
【００１６】
図１のＦ−Ｆ断面を示す図３によれば、温浴施設１内に設けられた脱衣場１ｂ及び浴場１ｃを囲む壁体３８は、壁体３８を設置した接地面であるＨ−Ｈから、上方にある天井Ｉ−Ｉへと向かうにつれて、壁体３８が温浴施設１の外側に傾くように設けられている。このため、八角形の建築物は天井方向に向かって外側に傾斜した８つの壁体に囲まれ、その内部は擂鉢形状に形成されることとなる。従って八角形の建築物は天井方向に向かうにつれて空間が拡大する。このため、天井方向に向かうに従って温浴施設１内部の空間が拡大することとなり、従来の垂直方向に真っ直ぐ設けられた壁体で囲むことで構成された室内に比べて開放感が増し、利用者は開放的な雰囲気の中、ゆったりと快適に入浴を楽しむことができる構成となっている。
多目的スペース１ａを囲む壁体３９（図１参照）については、脱衣場１ｂ及び浴場１ｃを囲む壁体３８と同様に傾斜した構造にしてもよいし、傾斜しない構造にしてもよい。
【００１７】
また、浴場１ｃを囲んでいる壁体３８は、水平面Ｈ−Ｈから所定の高さ（例えば７０ｃｍ〜１２０ｃｍまでの高さ）までは可視性のある透明強化ガラス４０によって構成され、透明強化ガラス４０より上の部分については不可視性の強化金網入水色ガラス４１にて構成されている。このため利用者は、透明強化ガラス４０を通じ、入浴しながらにして浴場１ｃの外側に広がる庭園１ｄの景色を楽しむことができる。このとき、強化金網入水色ガラス４１によって光を遮っているため、浴場１ｃ内は適当な明るさで保たれる。因みに、図１および図３中の符号４１ａは、水平方向に隣り合うガラス４０，４１どうしを連結させる鋼材を示すものであるが、本発明の実施にあたり、該鋼材４１ａを廃止して、水平方向に隣り合うガラス４０，４１どうしを接着剤にて接着するようにしてもよいし、或いは、前記鋼材４１ａを廃止してガラス４０，４１を曲げ加工して形成してもよい。
【００１８】
なお、庭園１ｄの外側には庭園１ｄの全周を囲うように壁が設けられているため、庭園１ｄの外側から温浴施設１内部を覗き見ることはできない構成となっている。また、脱衣場１ｂを囲む壁体３８及び多目的スペース１ａを囲む壁体３９は不可視性の材質で構成されたものであることが好ましいが、浴場１ｃと同様に透明強化ガラス４０及び強化金網入水色ガラス４１にて構成された壁体３９としても良い。
【００１９】
図４に示した温浴施設１のＥ−Ｅ断面によれば、温浴施設１の床面は面一状態に設けられ、多目的スペース１ａの玄関１０から脱衣場１ｂにかけて連続した勾配がつけられており、緩やかに傾床している。本来、段差として設ける部分を傾斜とすることにより、温浴施設１内部の段差、起伏を低減し、年配の利用者、子供の利用者であっても、温浴施設１を利用する際の安全性が増すこととなる。また、温浴施設１の最奥にある浴場１ｃに向かうに従って床が下るように傾床しており、相対的に天井が高くなる構成であるため、外壁の構造による開放感と併せて、利用者は温浴施設１の奥側へ行くほど開放感を感じることができ、快適に入浴することができるようになるという効果を発揮する。
【００２０】
また、床面が傾斜しているため、図３，４中の符号Ｈで示す地表に合わせ、該地表Ｈより下の部分を地下に設ける構成も挙げられる。このとき玄関１０の床面と温浴施設１の最奥に設けられた浴場１ｃの床面との間には５０ｃｍの高低差がある。すなわち浴場１ｃは地中に約５０ｃｍ埋められた状態となり、そのため保温性が高く、浴場１ｃ内の熱を逃がすことなく、適温を保つことができる効果を発揮する。しかも、各浴槽３１，３１’，３３，３３’の底面は地中に約１００ｃｍ埋められた状態となるため、各浴槽３１，３１’，３３，３３’内のお湯は保温されることとなり、熱効率を高めることができる。なお、各浴槽３１，３１’，３３，３３’は、その全体が浴場１ｃの床面より低い位置となるように配置されていてもよいし、各浴槽３１，３１’，３３，３３’の一部分のみが浴場１ｃの床面より低い位置となるように配置してもよい。
【００２１】
図４の脱衣場１ｂと浴場１ｃとの間には、僅かな段差５０が有るが、図５に示す変更形態の温浴施設１００によれば、脱衣場１０１ｂと浴場１０１ｃとの間をスロープ１５１として、温浴施設１００内部の床面の段差を無くす構成となっている。このため、車椅子、担架等、車輪を有するものが脱衣場１０１ｂと浴場１０１ｃの間を往来することが容易となり、年配の利用者や体の不自由な利用者であっても、車椅子で浴場１０１ｃ内部に直接運搬することによって、浴場１０１ｃまで向かう労力を軽減し、入浴を補助することが可能となる。また、浴場１０１ｃ内で体の不調を訴える利用者に対しても、浴室１０１ｃに担架を運び込むことが容易であるため、迅速に対応することが可能となり、温浴施設１００内部の安全性を向上させる効果を発揮する。
【００２２】
（第２実施形態）  
上記第１実施形態では、図４に示すように、下足場１２を有する多目的スペース１ａの床面および脱衣場１ｂの床面を、玄関１０から浴場入り口２５，２５’に亘って、連続した面一状態かつ下り勾配で傾床させているのに対し、本実施形態では、図６に示すように、下足場１２を有する多目的スペース１ａおよび脱衣場１ｂの床面のうち、玄関１０から浴場入り口２５，２５’に至るまでの経路上の複数箇所に、下り勾配で傾床するスロープ部（図６中の斜線に示される部分）６０を設けている。そして、多目的スペース１ａの床面は、スロープ部６０を境に符号Ｐ１，Ｐ２，Ｐ３、Ｐ４を付した部分に仕切られており、多目的スペース１ａの床面の各部分Ｐ１〜Ｐ４は水平に拡がる床面であるものの、各部分Ｐ１〜Ｐ４でレベルが異なるように形成されている。
【００２３】
スロープ部６０の傾斜は１００×（１／１２）％以下の傾斜であることが望ましく、本実施形態のスロープ部６０は約１００×（１／１５）％となるように設定されている。なお、本実施形態のその他の構造は上記第１実施形態と同様の構造であり、第１実施形態と同様の符号が付してある。
【００２４】
そして、本実施形態によっても第１実施形態と同様の効果を発揮できることに加え、本実施形態によれば、水平に拡がる床面の部分Ｐ１〜Ｐ４を有するので、ゲームセンター１７に設置される各種機械や自動券販売機１４等の各種設備を、水平な床面に設置できるので、好適である。また、床面の施工を容易にできる。
【００２５】
（第３実施形態）  
上記第２実施形態では、スロープ部６０が複数箇所に離散的に設けられているが、本実施形態では、図７に示す如く、スロープ部（図７中の斜線に示される部分）６１を、多目的スペース１ａの床面全体に亘って延びるように設けている。なお、多目的スペース１ａの床面は、スロープ部６１を境に符号Ｐ５，Ｐ６を付した部分に仕切られており、床面の各部分Ｐ５，Ｐ６は水平に拡がる床面となるように形成されている。
【００２６】
スロープ部６１の傾斜は、０．８３％〜２．５０％の範囲の傾斜に設定することが望ましく、より望ましくは１．３３％〜２．００％の範囲が望ましい。なお、本実施形態のその他の構造は上記第１実施形態と同様の構造であり、第１実施形態と同様の符号が付してある。
【００２７】
そして、本実施形態によっても第１実施形態と同様の効果を発揮できることに加え、本実施形態によれば、水平に拡がる床面の部分Ｐ５，Ｐ６を有するので、ゲームセンター１７に設置される各種機械や自動券販売機１４等の各種設備を、水平な床面に設置できるので、好適である。また、床面の施工を容易にできる。
【００２８】
（第４実施形態）  
本実施形態に係る温浴施設２０１は、浴場２０１ｃに人工温泉装置２７０を設けたことを特徴としている。図８は本実施形態に係る温浴施設２０１の平面図、図９は人工温泉装置２７０を模式的に示す図であり、図９（ａ）は正面図、（ｂ）は底面図である。なお、第１実施形態の構成要素に対応する本実施形態の構成要素の説明は、図中の符号を２００番台として説明を援用する。
【００２９】
本実施形態に係る人工温泉装置２７０は、浴槽の中（図８では大浴槽２３３の中）に設置されている。そして、大浴槽２３３の中に設置された人工温泉装置２７０には、大浴槽２３３の外に設置されている循環ポンプ（図示せず）と配管接続されており、循環ポンプが作動すると、大浴槽２３３内のお湯は、循環ポンプの吸入口に流入した後循環ポンプの吐出口から人工温泉装置２７０に向けて吐出され、人工温泉装置２７０から大浴槽２３３内に噴出することとなる。
因みに、図８では、脱衣場２０１ｂ及び浴場２０１ｃ内の設備レイアウトの詳細は、男性用の設備レイアウトのみ図示されており、女性用の設備レイアウトの図示は省略されているが、女性用の設備も男性用の設備と同じレイアウト構造である。また、本実施形態では、第１実施形態に係るゲームセンター１７、高温サウナ３０、露天風呂３６及び露天風呂３６への出入口３５を廃止している。また、本実施形態では、第１実施形態の中浴槽３１として、図８中の符号２３１に示す座バス、ジェットバス、電気風呂、かわり湯、寝風呂を採用している。また、第１実施形態の大浴槽３３として、図８中の符号２３３に示す粉末麦飯石風呂を採用している。粉末麦飯石風呂２３３とは、麦飯石を粉末状にしたものを浴槽内に溶解させた風呂のことであり、本実施形態では、このような粉末状の麦飯石に加え、小石程度の大きさの後述する麦飯石２７２を浴槽内に浸漬させている。
また、本実施形態では、男湯の大浴槽（粉末麦飯石風呂）２３３と女湯の大浴槽とを隣接配置することに加え、男湯の各中浴槽（座バス、ジェットバス、電気風呂、かわり湯、寝風呂）２３１と女湯の各中浴槽とを隣接配置し、さらには、男湯内にて大浴槽２３３と各中浴槽２３１を隣接配置しているので、各浴槽２３３，２３１内のお湯の保温効果をより一層高めることができ、エネルギー効率を向上できる。なお、図８中の一点鎖線は、壁体２３８，２３９の上部位置を示す線であり、前述した擂鉢形状により下部位置よりも広がった位置となっている。
【００３０】
次に、図９（ａ）（ｂ）を用いて人工温泉装置２７０を説明すると、該人工温泉装置２７０は、上下方向に延びる円筒状の籠部材２７１を備えている。籠部材２７１は金網で形成されており、籠部材２７１の中には、鉱石としての麦飯石２７２が配置されている。「麦飯石」とは、極端に風化の進んだ花崗斑岩の一種であり、遠赤外線を放射する機能を有する石である。そして、籠部材２７１内部には、麦飯石２７２が配置されるスペースを上下方向に仕切る金網２７３と、水平方向に仕切る金網２７４とが備えられている。このように仕切られた各スペースには、麦飯石２７２が２０ｋｇずつ配置され、合計約２００ｋｇの麦飯石２７２が配置されている。なお、上記金網２７３，２７４は、耐酸化性に優れたステンレス製であることが望ましい。また、本実施形態では籠部材２７１の形状を円筒状としているが、円形ではなく角形にしてもよい。また、図９に示す例では、人工温泉装置２７０の高さ寸法は約８０ｃｍである。
籠部材２７１の上方にはドーム形状のドーム部材（衝突部材）２７５が備えられている。そして、該ドーム部材２７５は、籠部材２７１の中央部分に配置された噴出管（噴出手段）２７６の噴出口２７６ａに対向配置されており、噴出口２７６ａから噴き出されるお湯が、ドーム部材２７５の内面２７５ａに衝突するようになっている。なお、噴出管２７６の下端には、循環ポンプに接続された配管が接続されている。そして、ドーム部材２７５の内面２７５ａに衝突したお湯は、籠部材２７１内に配置された麦飯石２７２の直上に向けて落下することとなる。
以上により、本実施形態によれば、麦飯石２７２から放射される遠赤外線により、浴槽（本実施形態では大浴槽２３３）内のお湯の保温効果を向上させることができる。しかも、その麦飯石２７２は浴槽内に浸漬しているので、麦飯石２７２の成分が浴槽内に十分に抽出されることとなり、該成分による様々な効能が十分に発揮される。
また、噴出手段から噴出されるお湯が麦飯石２７２に向けて落下するので、麦飯石２７２周囲のお湯を攪拌させる作用が奏され、麦飯石２７２の成分が浴槽内に抽出されることをより一層促進できる。
【産業上の利用可能性】
【００３１】
本願発明を実施することによって、温浴施設１内部をより広く感じさせることが可能となり、利用者においては、屋内での入浴でありながら、屋外にいるかのような開放感を与え、快適に入浴することが可能となり、温浴施設１の利用者の増加に寄与することとなる。
【図面の簡単な説明】
【００３２】
【図１】本発明の第１実施形態に係る温浴施設１の平面図である。
【図２】浴槽２６，２６’，２７，２７’，３１，３１’，３２，３２’，３３，３３’の断面図である。
【図３】温浴施設１のＦ−Ｆ断面図である。
【図４】温浴施設１のＥ−Ｅ断面図である。
【図５】変更形態の温浴施設１００のＥ−Ｅ断面図である。
【図６】本発明の第２実施形態に係る温浴施設１の平面図である。
【図７】本発明の第３実施形態に係る温浴施設１の平面図である。
【図８】本発明の第４実施形態に係る温浴施設２０１の平面図である。
【図９】第４実施形態の人工温泉装置２７０を模式的に示す図であり、（ａ）は正面図、（ｂ）は底面図である。
【符号の説明】
【００３３】
１…温浴施設、１ａ…多目的スペース、１ｂ…脱衣場、１ｃ…浴場、１０…玄関、１４…自動券販売機、２３…脱衣箱、２６…流し場、２７…冷水、２９…低温サウナ、３０…高温サウナ、３１…中浴槽、３２…冷浴槽、３３…大浴槽、３６…露天風呂、４０…透明強化ガラス、４１…強化金網入水色ガラス
【図１】
2005240542.tif 000003
【図２】
2005240542.tif 000004
【図３】
2005240542.tif 000005
【図４】
2005240542.tif 000006
【図５】
2005240542.tif 000007
【図６】
2005240542.tif 000008
【図７】
2005240542.tif 000009
【図８】
2005240542.tif 000010
【図９】
2005240542.tif 000011